(57)【要約】  【課題】  フィルム端部が平坦でなくても、確実にフィルム端部を安定的に把持できるフィルムのチャック装置及びチャック方法を提供する。  【解決手段】  フィルム７を支持するテーブル端部１２からはみ出したフィルム端部７ａを前記テーブル面と略面一をなすチャック面１と揺動可能とされたクリップ３の押圧部３ａの間に挿入し、該挿入されたフィルム端部７ａをクリップを揺動させてチャック面１とクリップの押圧部３ａで押圧して把持するようにしたフィルムのチャック装置において、チャック面１とクリップの押圧部３ａとの間に挿入されるフィルム端部７ａがチャック面１とクリップの押圧部３ａの間に挿入され易くするように、フィルム端部７ａをエア流で矯正するエアノズル６を備えた。  【選択図】  図１
2005219253.tif 000002
【特許請求の範囲】
【請求項１】
フィルム（７）を支持するテーブル（１２）端部からはみ出したフィルム端部（７ａ）を前記テーブル面と略面一をなすチャック面（１）と揺動可能とされたクリップ（３）の押圧部（３ａ）の間に挿入し、該挿入されたフィルム端部（７ａ）を前記クリップ（３）を揺動させて前記チャック面（１）とクリップ（３）の押圧部（３ａ）で押圧して把持するようにしたフィルム（７）のチャック装置において、
前記チャック面（１）とクリップ（３）の押圧部（３ａ）との間に挿入されるフィルム端部（７ａ）が前記チャック面（１）とクリップ（３）の押圧部（３ａ）の間に挿入され易くするように、フィルム端部をエア流で矯正するエア矯正手段（６）を備えたことを特徴とするフィルムのチャック装置。
【請求項２】
前記エア矯正手段（６）は、前記チャック面（１）に対して斜め上方からエアを噴出すように配置されたエアノズル（６）により構成されることを特徴とする請求項１に記載のフィルムのチャック装置。
【請求項３】
前記エアノズル（６）は長穴（６ｂ）のエア噴出口を有し、該長穴の長さ方向がフィルム面と平行となるように配置されることを特徴とする請求項２に記載のフィルムのチャック装置。
【請求項４】
前記エアノズル（６）は、配列されて駆動される複数のクリップブロック（４）におけるチャック面（１）に対して斜め上方からエアを噴出すように複数（６Ａ，６Ｂ，６Ｃ）設けられることを特徴とする請求項１に記載のフィルムのチャック装置。
【請求項５】
前記エア矯正手段（６）は、さらに、前記チャック面（１）の温度を調整するようにエアを吹き付けることを特徴とする請求項１乃至請求項５のいずれかに記載のフィルムのチャック装置。
【請求項６】
さらに、複数配列されて前進駆動されるクリップブロック（４）に対して前記エア矯正手段（６）の上流側には、前記複数のクリップブロック（４）におけるチャック面（１）に対して温度調整用のエアを噴出すように複数の穴（１３ａ）が形成されたエアパイプ（１３）が設けられていることを特徴とする請求項１乃至請求項５のいずれかに記載のフィルムのチャック装置。
【請求項７】
前記エアパイプ（１３）は複数のクリップブロック（４）に対して略同一距離を維持して離間するように設けられることを特徴とする請求項６に記載のフィルムのチャック装置。
【請求項８】
テーブル（１２）端部からフィルム端部（７ａ）がはみ出るようにテーブル（１２）上にフィルム（７）を支持するとともに、該はみ出したフィルム端部（７ａ）を無端状に配列されて駆動されるクリップ（３）で把持してフィルム（７）を横延伸させるようにした横延伸装置におけるフィルム（７）のチャック方法において、
フィルム端部（７ａ）が前記チャック面（１）とクリップ（３）の押圧部（３ａ）との間に挿入される直前にフィルム端部（７ａ）が前記チャック面（１）とクリップ（３）の押圧部（３ａ）の間に挿入され易くするように、フィルム端部（７ａ）をエア流で矯正するようにしたことを特徴とするフィルムのチャック方法。
【発明の詳細な説明】
【技術分野】
【０００１】
本発明は、横延伸装置のクリップでフィルム端部を把持させるようにしたフィルムのチャック装置とその方法に関し、特に、腰がなく、柔らかくて薄いフィルムについてもエア流を用いることによりフィルム端部が安定的に把持できるようにしたフィルムのチャック装置及びチャック方法に関するものである。
【背景技術】
【０００２】
従来、フィルムの端部（耳部）を平らに矯正した後、フィルムの横延伸装置に供給するフィルムのチャック装置として、例えば、図１０に示したものが知られる。このフィルムの横延伸装置５０は、互いに水平方向に対向する位置にフィルムの幅寸法だけ放して配置された２つの上側ガイド機構（上側ガイド部材１８、上側ガイド板部１８ａ、取付部１８ｂ、傾斜案内部１８ｃ、サポート２６、ヒンジ金具２８、支持金具３０）と、これらと垂直方向の対向する位置にそれぞれ配置された下側ガイド機構（下側ガイド板１２、傾斜案内部１２ａ、切欠き部１２ｂ、固定部材１６）とを備えると共に、上側ガイド機構は、フィルム横延伸装置５０に固定されたサポート２６とこのサポート２６に対してヒンジ金具２８を介して上方に跳ね上げ可能に連結された支持金具３０と、この支持金具３０と連結された上側ガイド部材１８ａとを備え、さらに下側ガイド機構は固定部に固定された固定部材１６と、この固定部材１６に固定された下側ガイド板１２とを備えている。
【０００３】
そして、上側ガイド部材１８及び下側ガイド部材１２は調整可能とされた所定の隙間を隔てて互いに平行に配置されており、矯正前のフィルムは、この端部を上記所定の隙間に挟み込んだ状態でフィルム横延伸装置側に移送されるように配置される。なお、図１０に符号５２で示されるフィルムクリップ装置が本発明の実施の形態におけるクリップブロックに相当する。
（例えば、特許文献１参照。）。
【特許文献１】実開平５−３５２５２号公報
【発明の開示】
【発明が解決しようとする課題】
【０００４】
しかし、従来のフィルムのチャック装置では、腰がなくて柔らかいフィルムや厚みが薄い（５μ〜）フィルムに対しては、上側ガイド板と下側ガイド板の隙間に挟み込んだ状態において、フィルムが受ける抵抗が大き過ぎ、前に移動し難くなり、その結果しわが発生して横延伸装置のクリップによる把持が安定的にできなくなる。
【０００５】
また、フィルム端部にもともと湾曲、反り、カールがあるようなフィルムについては、対応できない。さらに、フィルム端部が平坦であっても、通常クリップの温度は常温以上になるので、フィルム端部がクリップによりチャックされる直前に収縮し、湾曲、反り、カールが発生するようなフィルムについても対応できない。
【０００６】
また、フィルム端部にしわが発生していたり、異形となっている場合には安定的に把持することができない。
【０００７】
一方、これらのフィルムに対応させるべく、上側ガイド板と下側ガイド板の隙間を調整するようにしたのでは煩に耐えない。
【０００８】
本発明は、上述した事情に鑑みて成されたものであり、フィルム端部が、湾曲や反り、カール等により平坦でない場合でも、確実にフィルム端部を安定的に把持できるフィルムのチャック装置及びチャック方法を提供することを目的としている。
【課題を解決するための手段】
【０００９】
上述した課題を解決するため、本発明に係るフィルムのチャック装置は、フィルム（７）を支持するテーブル（１２）端部からはみ出したフィルム端部（７ａ）を前記テーブル面と略面一をなすチャック面（１）と揺動可能とされたクリップ（３）の押圧部（３ａ）の間に挿入し、該挿入されたフィルム端部（７ａ）を前記クリップ（３）を揺動させて前記チャック面（１）とクリップ（３）の押圧部（３ａ）で押圧して把持するようにしたフィルム（７）のチャック装置において、前記チャック面（１）とクリップ（３）の押圧部（３ａ）との間に挿入されるフィルム端部（７ａ）が前記チャック面（１）とクリップ（３）の押圧部（３ａ）の間に挿入され易くするように、フィルム端部をエア流で矯正するエア矯正手段（６）を備えたことを特徴とする。
【００１０】
また、ここで、前記エア矯正手段（６）は、前記チャック面（１）に対して斜め上方からエアを噴出すように配置されたエアノズル（６）により構成されることが好ましい。また、前記エアノズル（６）は長穴（６ｂ）のエア噴出口を有し、該長穴の長さ方向がフィルム面と平行となるように配置されることが好ましい。さらに、前記エアノズル（６）は、配列されて駆動される複数のクリップブロック（４）におけるチャック面（１）に対して斜め上方からエアを噴出すように複数（６Ａ，６Ｂ，６Ｃ）設けられることが好ましい。また、前記エア矯正手段（６）は、さらに、前記チャック面（１）の温度を調整するようにエアを吹き付けることが好ましい。さらに、本発明のチャック装置において、複数配列されて前進駆動されるクリップブロック（４）に対して前記エア矯正手段（６）の上流側には、前記複数のクリップブロック（４）におけるチャック面（１）に対して温度調整用のエアを噴出すように複数の穴（１３ａ）が形成されたエアパイプ（１３）が設けられていることが好ましい。また、前記エアパイプ（１３）は複数のクリップブロック（４）に対して略同一距離を維持して離間するように設けられることが好ましい。
【００１１】
また、本発明に係るフィルムのチャック方法は、テーブル（１２）端部からフィルム端部（７ａ）がはみ出るようにテーブル（１２）上にフィルム（７）を支持するとともに、該はみ出したフィルム端部（７ａ）を無端状に配列されて駆動されるクリップ（３）で把持してフィルム（７）を横延伸させるようにした横延伸装置におけるフィルム（７）のチャック方法において、フィルム端部（７ａ）が前記チャック面（１）とクリップ（３）の押圧部（３ａ）との間に挿入される直前にフィルム端部（７ａ）が前記チャック面（１）とクリップ（３）の押圧部（３ａ）の間に挿入され易くするように、フィルム端部（７ａ）をエア流で矯正するようにしたことを特徴とする。
【発明の効果】
【００１２】
以上に詳述したように本発明によれば、フィルム端部が平坦でなくても、確実にフィルム端部を安定的に把持できるフィルムのチャック装置及びチャック方法を提供することができる。また、フィルムのチャック面の温度を噴出エアにより温度調整することにより、チャック面の温度の影響を受けてフィルム端部が湾曲するなどの変形を防止でき、安定的に把持できる確実性をより高めることができる。
【発明を実施するための最良の形態】
【００１３】
以下、本発明の実施の形態について図面を参照しつつ説明する。
【００１４】
（実施の形態１）
図１は本実施の形態１によるフィルムのチャック装置の構成を示す側面図、図２はフィルムの横延伸装置の平面図である。
本実施の形態におけるチャック装置は、チャック面１と、このチャック面１の上方において支点２に対して揺動自在に設けられるクリップ３とを有するクリップブロックと、このクリップブロック４を支持し、所定の搬送経路に沿って無端状に搬送するためのローラブロック５と、このクリップブロック４が所定の位置に到達した場合にこのクリップブロック４のチャック面１の斜め上方に位置するように設けられたエアノズル６とを備えて構成される。クリップ３にはチャック面１との間に挿入されたフィルム７の端部（耳部）７ａをチャック面１に押圧して把持する押圧部３ａが設けられている。フィルム７はテーブル１２（下側ガイド部材）に支持されている。
【００１５】
横延伸装置は図２に示すように、フィルム（５μ〜５００μ）７の搬送方向７Ａを挟んでその両側に対峙するように、上述したクリップブロック４の複数が無端状に配列され、フィルム７の端部７ａを図１に示したチャック装置で挟んで所定の搬送経路４Ａを移動することで、フィルム７の横幅を延伸させる。
【００１６】
以下、実施の形態の動作について説明する。例えばフィルム端部７ａは図３に示すように、平坦になっているものもあれば（ａ）、折れたり（ｂ）、湾曲したり（ｃ）、カールになっている（ｄ）ものもある。図４に示すように、エアノズルがない従来のチャック装置においては、図３の（ｂ）〜（ｄ）のように端部が平坦でないフィルムでは、クリップ３とチャック面１の間にフィルム端部７ａが挿入され難く、クリップ３を揺動させてその押圧部３ａでフィルム端部７ａを押圧しようとしても上手く把持できない場合が生じていた。そこで、図５に示すように、端部７ａが湾曲等したフィルムでも、エアノズル６から、チャック面１に対してフィルム７が沿うように（フィルム端部を伸ばし）エア（Ａｉｒ）を吹き付けることにより、図１に示したようにフィルム端部７ａはチャック面１とクリップ３間に容易に挿入され、フィルム端部７ａを上手く、安定状態に把持することができるようになる。
【００１７】
なお、エアノズル６は、図６（ａ）に示すように、丸穴６ａを有するもののほか、図６（ｂ）に示すように線状の穴６ｂを有するものが使用される。線状の穴６ｂを有するエアノズル６によれば、湾曲されたフィルム端部７ａを効果的にクリップ３とチャック面１との間に挿入できるように矯正することができる。
【００１８】
図７は本実施の形態によるチャック装置によるフィルムの横延伸動作を示す外観図であり、エアノズル６はエア圧を調整してエア量を調整可能な減圧弁８を介してエアが供給される。また、エアノズル６はフレキシブルホース９を用いて減圧弁８に繋げられているので、エアノズル６の位置は容易に変更、調整可能である。さらに、このエアノズル６からの噴出エアを、クリップブロック４のチャック面１に当てるようにすることにより、そのチャック面１の温度を調節（冷却又は昇温）することもでき、フィルム端部が温度の影響を受けて変形することも防止できる。この場合、噴出エアの温度を冷却用又は加熱用に制御もしくは変更するようにすることも効果的である。
【００１９】
以下に、本実施の形態による実施結果を示す。
【００２０】
フィルム厚み      フィルム外観            速度                  結果
５μ        腰が無い（柔らかい）    ５−５０ｍ／ｍｉｎ      良好
耳部しわ有り
１０μ        腰が無い（柔らかい）    ５−５０ｍ／ｍｉｎ      良好
１５μ        腰が無い（柔らかい）    ５−５０ｍ／ｍｉｎ      良好
２０μ        腰が無い（柔らかい）    ５−５０ｍ／ｍｉｎ      良好
３０μ        腰が無い（柔らかい）    ５−５０ｍ／ｍｉｎ      良好
５０μ        反りが有る              ５−５０ｍ／ｍｉｎ      良好
１００μ        反りが有る              ４０−１００ｍ／ｍｉｎ  良好
耳部が波々になっている
３００μ        腰が無い（柔らかい）    ４０−１００ｍ／ｍｉｎ  良好
（上側ガイド部材との併用）
【００２１】
（実施の形態２）
図８は実施の形態２を示す外観構成図である。実施の形態１はエアノズル６を一つ設ける場合について説明したが、図８に示すように、複数（例えば３つ）のエアノズル６Ａ〜６Ｃを設け、フィルム７を把持するチャック面１をその動作のある程度前段階から冷却（或いは加熱）するようにしても良い。この構成によれば、クリップブロック４（チャック面１）の温度を十分に調節することができ、効果的にフィルム端部が温度の影響を受けて変形するのを防止することができる。
【００２２】
（実施の形態３）
図９は実施の形態３を示す外観構成図である。実施の形態３は、実施の形態１で示したエアノズル６の上流側に配列されて搬送されるクリップブロック４に沿うように、これらクリップブロック４から一定の距離を隔ててエアパイプ１３を配設し、調節弁１５を介してエアを供給することで、実施の形態２で示した複数のエアノズル６Ｂ，６Ｃに代えてチャック面１の温度を調整できるようにしたものである。図９（ｂ）に示すように、エアパイプ１３には、クリップブロック側に複数の穴１３ａが並設されてチャック面１にその把持動作の前段階から空気を吹き付け、それらを冷却または加熱できるように工夫されている。このエアパイプ１３を用いれば、実施の形態２のように複数のエアノズルを用いる必要がなく、またエアパイプ１３をフレキシブルパイプで構成することによりその位置調整も容易にでき、コスト的にもスペース的にも優れる。
【図面の簡単な説明】
【００２３】
【図１】本発明の実施の形態によるチャック装置を示す側面図である。
【図２】フィルムの横延伸装置を示す平面図である。
【図３】フィルム端部の形状を示す図である。
【図４】従来のチャック装置を示す概略側面図である。
【図５】実施の形態におけるチャック装置の動作を示す側面図である。
【図６】エアノズルを示す図である。
【図７】実施の形態１の全体構成を示す斜視図である。
【図８】実施の形態２の全体構成を示す斜視図である。
【図９】実施の形態３の全体構成を示す斜視図である。
【図１０】従来のチャック装置を有するフィルム横延伸装置を示す斜視図である。
【符号の説明】
【００２４】
１  チャック面、３  クリップ、４  クリップブロック、３ａ  押圧部、６，６Ａ，６Ｂ，６Ｃ  エアノズル、６ａ，６ｂ  ノズル穴、７  フィルム、７ａ  フィルム端部、８  減圧弁、９  フレキシブルホース、１２  テーブル（下側ガイド板）、１３  エアパイプ、１３ａ  穴。
【図１】
2005219253.tif 000003
【図２】
2005219253.tif 000004
【図３】
2005219253.tif 000005
【図４】
2005219253.tif 000006
【図５】
2005219253.tif 000007
【図６】
2005219253.tif 000008
【図７】
2005219253.tif 000009
【図８】
2005219253.tif 000010
【図９】
2005219253.tif 000011
【図１０】
2005219253.tif 000012